(57)【要約】　　　（修正有）【課題】陽子星と中間子星と電子星の大きさやエネルギーや引力はどれ位であったのか。通過検出型の検出器でできる光子が描く円は何を意味しているのか。【解決手段】第一段階のインフレーションを１０ｙ倍とした場合、陽子星の大きさは２×１０−１−ｙｍ、エネルギーは１．８×１０８１×１０ｙＪ、引力は６．６６×１０５３×１０ｙＮである。中間子星の大きさは２×１０−ｙｍ、エネルギーは２．６８８×１０８０×１０ｙＪ、引力は９．９６×１０５２×１０ｙＮである。電子星の大きさは２×１０３−ｙｍ、エネルギーは９．６×１０７７×１０ｙＪ、引力は３．６×１０５０×１０ｙＮである。これからインフレーションにより光子の回転軌道は１０ｙ倍に膨張し、エネルギーを１０−ｙ倍にした。通過検出型の検出器で光子が描く円は軌道である。光子の持つエネルギーを示す。光子は階段的エネルギーを持つ。これが万物は光子の回転でできている証拠である。【選択図】図１２
2004048976.tif 000002
【特許請求の範囲】
【請求項１】
陽子は陽子星のインフレーションによりできた。中間子は中間子星のインフレーションによりできた。電子は電子星のインフレーションによりできた。
【請求項２】
陽子星は陽子のラブの集合体である。中間子星は中間子のラブの集合体である。電子星は電子のラブの集合体である。インフレーションの前の高エネルギーのラブの回転体である。
【請求項３】
陽子星を中心に中間子星と電子星は回転していた。
【請求項４】
インフレーションは２段階で行われた。１段階はラブのインフレーションであり、２段階はラブの周囲の光子のインフレーションである。
１段階のインフレーションで陽子星のラブは１０−３１ｍまで膨張し、２段階のインフレーションでラブの周囲の光子は１０−１５ｍまで膨張した。２段階のインフレーションは１０１６倍である。
【請求項５】
第一段階のインフレーションが１０ｙ倍であるとすると、陽子星のラブの大きさは１０−３１−ｙｍであり、中間子星のラブの大きさは１０−３０−ｙｍであり、電子星のラブの大きさは１０−２７−ｙｍである。
【請求項６】
陽子星、中性子星、電子星のラブの数はいくらか。ブラックホールの質量とエネルギーはどれ位か。
ビッグバンのエネルギーはブラックホールのエネルギーの１０３３倍です。ブラックホールのエネルギーを太陽の１０倍であるとする。太陽の質量は２×１０３３ｇですからビッグバンの質量は２×１０６７ｇです。エネルギーは１．９３４８８×１０８１Ｊです。その中に陽子、中間子、電子は１２×１０９０個存在しています。それでラブの数もこれと同じだけ存在します。
【請求項７】
第一段階のインフレーションが１０ｙ倍であるとすると、陽子星の大きさは約２×１０−１−ｙｍです。中間子星の大きさは約２×１０−ｙｍです。電子星の大きさは約２×１０３−ｙｍです。
【請求項８】
陽子星のラブのエネルギー、中間子星のラブのエネルギー、電子星のラブのエネルギーはどれ位か。
第一段階のインフレーションが１０ｙ倍である場合。
Ａマップから算出する。陽子星のラブの大きさは１０−３１−ｙｍですから、エネルギーの式は〔軌道が１０ｘｍの時１．１×１０−４１−ｘＪ〕から、陽子星のラブのエネルギーは１．１×１０−４１−（−３１−ｙ）Ｊ＝１．１×１０−１０＋ｙＪです。中間子星のラブのエネルギーは１．１×１０−４１−（−３０−ｙ）Ｊ＝１．１×１０−１０＋ｙＪです。電子星のラブのエネルギーは１．１×１０−４１−（−２７−ｙ）Ｊ＝１．１×１０−１４＋ｙＪです。
Ｂ計算する。陽子のラブのエネルギーは１．５×１０−１０Ｊですから、陽子星のラブのエネルギーは１０ｙ倍になるから、陽子星のラブのエネルギーは１．５×１０−１０＋ｙＪです。中間子のラブのエネルギーは２．２４×１０−１１Ｊですから中間子星のラブのエネルギーは２．２４×１０−１１＋ｙＪです。電子のラブのエネルギーは８×１０−１４Ｊですから、電子星のラブのエネルギーは８×１０−１４＋ｙＪです。
このデーターからマップが正確であることが理解できる。
【請求項９】
陽子星のエネルギーは陽子星のラブのエネルギー×ラブの数であるから、陽子星のエネルギーは１．５×１０−１０×１０ｙＪ×１２×１０９０個＝１．８×１０８１×１０ｙＪです。中間子星のエネルギーは２．２４×１０−１１×１０ｙＪ×１２×１０９０個＝２．６８８×１０８０×１０ｙＪです。電子星のエネルギーは８×１０−１４×１０ｙＪ×１２×１０９０個＝９．６×１０７７×１０ｙＪです。
【請求項１０】
陽子星のエネルギー＋中間子星のエネルギー＋電子星のエネルギー＝１．８×１０８１×１０ｙＪ＋２．６８８×１０８０×１０ｙＪ＋９．６×１０７７×１０ｙＪ≒２×１０８１×１０ｙＪビッグバンの以前のエネルギーは２×１０８１×１０ｙＪです。
太陽の質量は２×１０３３ｇです。１０００ｇ中に３×１０２６個の陽子、中性子、中間子、電子が存在しますから、太陽には２×１０３３ｇ÷１０００×３×１０２６個＝６×１０５６個　存在します。陽子のエネルギー＋中性子のエネルギー＋中間子のエネルギー＋電子のエネルギー＝１．５×１０−１０Ｊ＋１．５×１０−１０Ｊ＋２．２４×１０−１１Ｊ＋８×１０−１４Ｊ＝３．２２４８×１０−１０Ｊ　太陽のエネルギーは３．２２４８×１０−１０Ｊ×６×１０５６個＝１．９３４８８×１０４７Ｊです。
太陽のエネルギーは約１．９３×１０４７Ｊです。
それで、ビッグバンの以前のエネルギーは太陽のエネルギーの約１０３４×１０ｙ倍です。
【請求項１１】
陽子のラブの引力は５．５５×１０−３８Ｎですから、陽子星のラブの引力はその１０ｙ倍になるので、陽子星のラブの引力は５．５５×１０−３８＋ｙＮです。中間子のラブの引力は８．３×１０−３９Ｎですから、中間子星のラブの引力は８．３×１０−３９＋ｙＮです。電子のラブの引力は３×１０−４１Ｎですから、電子星のラブの引力は３×１０−４１＋ｙＮです。
【請求項１２】
陽子星の引力は陽子星のラブの引力×ラブの数ですから、５．５８×１０−３８×１０ｙＮ×１２×１０９０個＝６．６６×１０５３×１０ｙＮです。中間子星の引力は中間子星のラブの引力×ラブの数ですから、８．３×１０−３９×１０ｙＮ×１２×１０９０個＝９．９６×１０５２×１０ｙＮです。電子星の引力は電子星のラブの引力×ラブの数ですから、３×１０−４１×１０ｙＮ×１２×１０９０個＝３．６×１０５０×１０ｙＮです。
【請求項１３】
陽子星の引力＋中間子星の引力＋電子星の引力＝６．６６×１０５３×１０ｙＮ＋９．９６×１０５２×１０ｙＮ＋３．６×１０５０×１０ｙＮ＝７．６６９６×１０５３×１０ｙＮ
ビッグバンの以前の引力は約７．６７×１０５３×１０ｙＮです。
太陽には２×１０３３ｇ÷１０００×３×１０２６個＝６×１０５６個の陽子、中性子、中間子、電子が存在します。
陽子の引力＋中性子の引力＋中間子の引力＋電子の引力＝５．５５×１０−３８Ｎ＋５．５５×１０−３８Ｎ＋８．３×１０−３９Ｎ＋３×１０−４１Ｎ＝１１．９３３×１０−３８Ｎ
それで、太陽の引力は１１．９３３×１０−３８Ｎ×６×１０５６個＝７．１５９８×１０１９Ｎ
太陽の引力は約７．１６×１０１９Ｎです。
万有引力係数で太陽の引力を算出すると２×１０３３ｇ÷１０００×６．６７２×１０−１１Ｎ＝１３．３４４×１０１９Ｎ　ですから、ほぼ等しいデーターになる。
それで陽子、中性子、中間子、電子の引力は正しい。
更に、光子の引力も正しい。
それで、ビッグバンの以前の引力は太陽の引力の約１０３４×１０ｙ倍である。
【請求項１４】
以上のことによって理解できる事。
１　マップは正確である。
１　陽子、中性子、中間子、電子の引力は正しい。
１　光子の引力も正しい。
１　エネルギーと引力は共存する。
１　光子は膨張する。
１　光子のエネルギーと引力は回転する軌道によって異なる。
１　光子は自分のエネルギーに合ったエネルギーの軌道を回転している。
１　「通過検出型の検出器」で光子は円を描く。このことは光子は自分の持っているエネルギーの軌道に落ち着いた事を示す。光子は軌道上を回転していることを示す。円は光子のエネルギーの軌道である。
１　この円は万物は光子の回転でできている証拠である。
１　光子は階段的なエネルギーを持つ。不連続なエネルギーを持つ。
１　光子のエネルギーは６．６７×１０−３４Ｊの整数倍のエネルギーである。
１　６．６７×１０−３４Ｊの光子のエネルギーは１０−７ｍの軌道を回転するエネルギーである。
１　１０−７ｍの軌道を回転する光子は６．６７×１０−３４Ｊのエネルギーで、２．４７×１０−６１Ｎの引力を共存する。
【発明の詳細な説明】
【０００１】
【発明の属する技術分野】
本発明はビッグバンの以前の状態とインフレーションと光子の軌道に関する。
【０００２】
【従来の技術】
従来、ビッグバンの前の状態は、無限に小さなもので、無限にエネルギーが大きいものであると認められている。「通過検出型の検出器」で光子を１粒ずつ発射すると光子は円を描きます。これは何を意味しているのか正しく理解されていない。
【０００３】
【発明が解決しようとする課題】
本発明は次の課題を解決するものである。
１、　陽子、中間子、電子はどうしてできたか。
２、　陽子星、中間子星、電子星とはどのようなものであるか。
３、　陽子星、中間子星、電子星はどのようになっているか。
４、　インフレーションはどのようにおこったか。
５、　第一段階のインフレーションが１０ｙ倍に膨張したとすると、陽子星のラブの大きさ、中間子星のラブの大きさ、電子星のラブの大きさはどれ位か。
６、　陽子星、中間子星、電子星のラブの数はいくらか。ビッグバンのエネルギーと質量はどれくらいか。
７、　第一段階のインフレーションが１０ｙ倍に膨張した時、陽子星の大きさ、中間子星の大きさ、電子星の大きさはどれ位か。
８、　陽子星のラブのエネルギー、中間子星のラブのエネルギー、電子星のラブのエネルギーはどれ位か。
８−１例えば、第一のインフレーションが１０１４倍である場合。
８−２例えば、第一のインフレーションが１０ｙ倍である場合。
Ａマップから算出する。
Ｂ計算で算出する。
９、　陽子星のエネルギー、中間子星のエネルギー、電子星のエネルギーはどれ位か。
１０、陽子星のエネルギー＋中間子星のエネルギー＋電子星のエネルギーはどれ位か。
又、そのエネルギーは太陽のエネルギーの何倍か。
１１、陽子星のラブの引力、中間子星のラブの引力、電子星のラブの引力はどれ位か。
１２、陽子星の引力、中間子星の引力、電子星の引力はどれ位か。
１３、陽子星の引力＋中間子星の引力＋電子星の引力はどれ位か。又、その引力は太陽の引力の何倍か。
１４、これらのことから、どのようなことが理解できるか。
【０００４】
【課題を解決する手段】
上記課題を解決するために、本発明者は２００２年８月３日提出の特許
【請求項１２】の（ビッグバンのエネルギーはブラックホールのエネルギーの１０３３倍です）を用いる。２００２年８月２８日提出の「陽子、中間子、中性子、電子の軌道エネルギーと引力及び電子」を用いる。
【０００５】
【発明の実施形態】
１、　陽子、中間子、電子はどうしてできたか。
陽子、中間子、電子は一定のエネルギーを持つ。連続的なエネルギーではない。この事によって、陽子と中間子と電子は１つの球よりできたのではないと理解できる。エネルギーを異にする別々の球（星）よりできた。陽子ができた球を陽子星、中間子ができた球を中間子星、電子ができた球を電子星と名づける。
２、　陽子星、中間子星、電子星はどのようなものであるか。
陽子星は陽子のラブの集合体である。中間子星は中間子のラブの集合体である。電子星は電子のラブの集合体である。インフレーションの前のラブの集合体である。
３、　陽子星、中間子星、電子星はどのように成っていたか。
陽子星を中心に中間子星と電子星は回転していた。一定軌道上を回転していた。例えば陽子星を１０−１５ｍとすると、中間子星は１０−１４ｍであり、電子星は１０−１１ｍであり、陽子星を中心に電子星は１０−１０ｍの軌道を回転していた。
４、　インフレーションはどのようにおきたか。
インフレーションは２段階でおこなわれた。１段階はラブのインフレーションであり、２段階はラブの周囲の光子のインフレーションである。例えば、１段階のインフレーションに於いて、陽子星のラブは１０−３１ｍに膨張した。これが陽子のラブです。２段階のインフレーションに於いて、陽子のラブの周囲の光子は１０−１５ｍまで膨張した。２段階のインフレーションは１０１６倍です。
５、　第一のインフレーションが１０ｙ倍に膨張したとすると、陽子星のラブの大きさ、中間子星のラブの　　　　　　　大きさ、電子星のラブの大きさはどれぐらいか。
陽子星のラブの大きさは、１０−３１−ｙｍであり、中間子星のラブの大きさは、１０−３０−ｙｍであり、電子星のラブの大きさは、１０−２７−ｙｍである。
６、　陽子星、中間子星、電子星のラブの数はいくら位か。
ビッグバンの質量とエネルギーはどれくらいか。
ビッグバンのエネルギーはブラックホールのエネルギーの１０３３倍です。
ブラックホールのエネルギーを太陽の１０倍であると仮定する。太陽の質量は２×１０３３ｇである。
それで、ビッグバンの質量は２×１０３３ｇ×１０×１０３３倍＝２×１０６７ｇ　　２×１０６７ｇである。
陽子、中性子、中間子、電子のエネルギーは３．２２４８×１０−１０Ｊであるから、エネルギーは２×１０６７ｇ÷１０００×３×１０２６個×３．２２４８×１０−１０Ｊ＝１．９３４８８×１０８１Ｊ
ビッグバンのエネルギーは約２×１０８１Ｊです。
２×１０６７ｇの中に陽子のラブ、中間子のラブ、電子のラブがどれだけ存在するか。１０００ｇの中に３×１０２６個の陽子、中性子、中間子、電子が存在します。
中性子＝陽子＋電子ですから、陽子＋中性子＋中間子＋電子≒２×（陽子＋中間子＋電子）として考える。
そうすると、１０００ｇの中に２×３×１０２６個の陽子のラブ、中間子のラブ、電子のラブが存在します。
それで、２×１０６７ｇの中には、
２×１０６７÷１０００×２×３×１０２６個＝１２×１０９０個
１２×１０９０個の陽子のラブ、中間子のラブ、電子のラブが存在します。
陽子星の中に１２×１０９０個のラブが存在します。
中間子星の中に１２×１０９０個のラブが存在します。
電子星の中に１２×１０９０個のラブが存在します。
７、　第一段階のインフレーションを１０ｙ倍であるとすると、陽子星の大きさと、中間子星の大きさと電子星の大きさはどれ位か。
陽子星の大きさを（直径）を２×１０ｚｍとします。
陽子星のラブの大きさは１０−３１−ｙｍですから陽子星の半径にはどれ位のラブが入っているか。
１０ｚ÷（１０−３１−ｙ）のラブが入っている。
ラブの数は陽子星で１２×１０９０個ですから、
４／３×π（１０ｚ÷１０−３１−ｙ）３＝１２×１０９０
（１０ｚ×１０３１×１０ｙ）３＝３／４÷π×１２×１０９０
（１０ｚ×１０３１×１０ｙ）３≒３×１０９０　３は計算上省略する。
１０ｚ×１０３１×１０ｙ＝１０３０
１０ｚ＋ｙ＝１０−１
ｚ＋ｙ＝−１　　ｚ＝−１−ｙ
よって、　　　　　陽子星の大きさは２×１０−１−ｙｍです。
同様に計算すると、中間子星の大きさは２×１０−ｙｍです。
電子星の大きさは２×１０３−ｙｍです。
８、　陽子星のラブのエネルギー、中間子星のラブのエネルギー、電子星のラブ
のエネルギーはどれ位か。
８−１例えば第一のインフレーションが１０１４倍である場合。
Ａマップから算出する。
陽子星のラブの大きさは１０−３１−１４ｍ＝１０−４５ｍです。
軌道エネルギーの式は〔軌道が１０ｘｍの時エネルギーは１．１×１０−４１−ｘＪ〕ですから
陽子星のラブのエネルギーは１．１×１０−４１−−４５Ｊ＝１．１×１０４Ｊ
１．１×１０４Ｊです。
中間子星のラブの大きさは１０−３０−−１４ｍ＝１０−４４ｍですから、
中間子星のラブのエネルギーは１．１×１０−４１−−４４Ｊ＝１．１×１０３Ｊ　１．１×１０３Ｊです。
電子星のラブの大きさは１０−２７−１４ｍ＝１０−４１ですから、
電子星のラブのエネルギーは１．１×１０−４１−−４１Ｊ＝１．１Ｊ　　　　１．１Ｊです。
陽子星のラブのエネルギー＋中間子星のラブのエネルギー＋電子星のラブのエネルギー＝１．１×１０４Ｊ＋１．１×１０３Ｊ＋１．１Ｊ＝１．２１０１１×１０４Ｊ
Ｂ計算する。
陽子星のラブの大きさは１０−１４倍に収縮されているので、エネルギーは１０１４倍となる。
陽子のラブのエネルギーは１．５×１０−１０Ｊですから、
陽子星のラブのエネルギーは１．５×１０−１０Ｊ×１０１４＝１．５×１０４Ｊ　　　１．５×１０４Ｊです。
中間子のラブのエネルギーは２．２４×１０−１１Ｊですから、
中間子星のラブのエネルギーは２．２４×１０−１１Ｊ×１０１４＝２．２４×１０３Ｊ　　２．２４×１０３Ｊです。
電子のラブのエネルギーは８×１０−１４Ｊですから、
電子星のラブのエネルギーは８×１０−１４Ｊ×１０１４＝８Ｊ　　８Ｊです。
陽子星のラブのエネルギー＋中間子星のラブのエネルギー＋電子星のラブのエネルギー＝１．５×１０４Ｊ＋２．２４×１０３Ｊ＋８Ｊ＝１．７２４８×１０４Ｊ
このデーターからマップで算出した場合と計算した場合は余り変わらない。
それで、マップは正確である。
８−２第一のインフレーションが１０ｙ倍である場合。
Ａマップから算出する。
陽子星のラブの大きさは１０−３１−ｙｍです。
軌道エネルギーの式は〔軌道が１０ｘｍの時、エネルギーは１．１×１０−４１−ｘＪ〕ですから、
陽子星のラブのエネルギーは１．１×１０−４１−（−３１−ｙ）Ｊ＝１．１×１０−１０＋ｙＪ　　１．１×１０−１０＋ｙＪです。
中間子星のラブの大きさは１０−３０−ｙｍですから、
中間子星のラブのエネルギーは１．１×１０−４１−（−３０−ｙ）Ｊ＝１．１×１０−１１＋ｙＪ　１．１×１０−１１＋ｙＪです。
電子星のラブの大きさは１０−２７−ｙｍですから、
電子星のラブのエネルギーは１．１×１０−４１−（−２７−ｙ）Ｊ＝１．１×１０−１４＋ｙＪ　　１．１×１０−１４＋ｙＪです。
陽子星のラブのエネルギー＋中間子星のラブのエネルギー＋電子星のラブのエネルギー＝１．１×１０−１０＋ｙ　Ｊ＋１．１×１０−１１＋ｙＪ＋１．１×１０−１４＋ｙＪ＝１．１×１０ｙ×１０−１４（１００００＋１０００＋１）＝１．２１０１１×１０−１０＋ｙＪ
Ｂ計算する。
陽子のラブのエネルギーは１．５×１０−１０Ｊですから、
陽子星のラブのエネルギーは１０ｙ倍になるから、
陽子星のラブのエネルギーは１．５×１０−１０＋ｙＪです。
中間子のラブのエネルギーは２．２４×１０−１１Ｊですから、
中間子星のラブのエネルギーは２．２４×１０−１１＋ｙＪです。
電子のラブのエネルギーは８×１０−１４Ｊですから、
電子星のラブのエネルギーは８×１０−１４＋ｙＪです。
陽子星のラブのエネルギー＋中間子星のラブのエネルギー＋電子星のラブのエネルギー＝１．５×１０−１０＋ｙＪ＋２．２４×１０−１１＋ｙＪ＋８×１０−１４＋ｙＪ＝１０ｙ×１０−１４×（１５０００＋２２４０＋８）＝１．７２４８×１０１０＋ｙＪ
９、　陽子星のエネルギー、中間子星のエネルギー、電子星のエネルギーはどれ
位か。
陽子星のエネルギー＝陽子星のラブのエネルギー×ラブの数＝１．５×１０−１０×１０ｙＪ×１２×１０９０個＝１．８×１０８１×１０ｙＪ　　１．８×１０８１×１０ｙＪです。
中間子星のエネルギー＝２．２４×１０−１１×１０ｙＪ×１２×１０９０個＝２．６８８×１０８０×１０ｙＪ２．７×１０８０×１０ｙＪです。
電子星のエネルギー＝８×１０−１４×１０ｙＪ×１２×１０９０個＝９．６×１０７７×１０ｙＪ　　９．６×１０７７×１０ｙＪです。
１０、陽子星のエネルギー＋中間子星のエネルギー＋電子星のエネルギーはどれ位か。又、そのエネルギーは太陽のエネルギーの何倍か。
陽子星のエネルギー＋中間子星のエネルギー＋電子星のエネルギー
＝１．８×１０８１×１０ｙＪ＋２．７×１０８０×１０ｙＪ＋９．６×１０７７×１０ｙＪ
＝１０ｙ×１０７７（１．８×１０４＋２．７×１０３＋９．６）Ｊ
＝２．０７９６×１０８１×１０ｙＪ≒２×１０８１×１０ｙＪ
ビッグバンの以前のエネルギーは約２×１０８１×１０ｙＪである。
このエネルギーは太陽のエネルギーの何倍か。
太陽のエネルギーは２×１０３３ｇです。
１０００ｇ中に３×１０２６個の電子、陽子、中性子、中間子が存在します。
太陽には２×１０３３÷１０００×３×１０２６個の電子、陽子、中性子、中間子が存在します。陽子のエネルギー＋中性子のエネルギー＋中間子のエネルギー＋電子のエネルギー＝（１．５＋１．５＋０．２２４＋０．０００８）×１０−１０Ｊ＝３．２２４８×１０−１０Ｊ
太陽のエネルギーは
２×１０３３÷１０００×３×１０２６×３．２２４８×１０−１０Ｊ≒１．９２×１０４７Ｊ　　１．９２×１０４７Ｊです。ですから、ビッグバンの以前のエネルギーは太陽のエネルギーの何倍か。
２×１０８１×１０ｙＪ÷（１．９２×１０４７Ｊ）≒１．０４×１０３４×１０ｙ（倍）約１０３４＋ｙ倍です。
１１、陽子星のラブの引力、中間子星のラブの引力、電子星のラブの引力はどれ位か。
陽子のラブの引力は５．５５×１０−３８Ｎですから、
陽子星のラブの引力はその１０ｙ倍になるので、
陽子星のラブの引力は５．５５×１０−３８×１０ｙＮです。
中間子のラブの引力は８．３×１０−３９Ｎですから、
中間子星のラブの引力は８．３×１０−３９×１０ｙＮです。
電子のラブの引力は３×１０−４１Ｎですから、
電子星のラブの引力は３×１０−４１×１０ｙＮです。
１２、陽子星の引力＋中間子星の引力＋電子星の引力はどれ位か。
2004048976.tif 000003
１３、陽子星の引力＋中間子星の引力＋電子星の引力はどれ位か。又、その引力は太陽の引力の何倍か。
2004048976.tif 000004
ビッグバンの以前の引力は７．６７×１０５３×１０ｙＮである。
この引力は太陽の引力の何倍か。
太陽の引力は（陽子の引力＋中性子の引力＋中間子の引力＋電子の引力）×（太陽の中の陽子、中性子、中間子、電子の数）であるから、
2004048976.tif 000005
太陽には２×１０３３ｇ÷１０００×３×１０２６個の陽子、中性子、中間子、電子が存在しますから、
太陽の引力は
２×１０３３ｇ÷１０００×３×１０２６個×１１．９３３×１０−３８Ｎ＝７．１５９８×１０１９Ｎ　７．１６×１０１９Ｎである。
万有係数で太陽の引力を算出すると、
２×１０３３ｇ÷１０００×６．６７２×１０−１１Ｊ＝１３．３４４×１０１９Ｎ　約１３×１０１９Ｎです。
ほぼ等しいデーターになる。
それで陽子、中性子、中間子の引力は正しい。光子の引力も正しい。
ビッグバンの前の引力は太陽の引力の何倍か。
７．６７×１０５３×１０ｙＮ÷（７．１６×１０１９Ｎ）＝１．０７×１０３４×１０ｙ（倍）　　　約１０３４×１０ｙ倍である。
このことはビッグバンの質量を太陽の１０３４倍として計算したからです。
ビッグバンの前の引力はインフレーションの倍数である。
１４、これらの事から、どのような事が理解できるか。
１　マップは正確で有る。
１　陽子、中間子、電子の引力は正しい。
１　光子の引力も正しい。
１　陽子星が無限大に小さく、かつ無限大に大きいエネルギーを保持できるのは無限大の引力があるからである。中間子星も電子星も同じ理由で存在できた。
１　第一のインフレーションを１０ｙ倍であるとすると、
陽子星の大きさは２×１０−１−ｙｍであり、エネルギーは１．８×１０８１×１０ｙＪである。
この超巨大エネルギーを超極小範囲に集めている力は６．６６×１０５３×１０ｙＮの引力である。
中間子星の大きさは２×１０−ｙｍであり、エネルギーは２．６７×１０８０×１０ｙＪである。
この超巨大エネルギーを超極小範囲に集めている力は９．９６×１０５２×１０ｙＮの引力である。
電子星の大きさは２×１０３−ｙｍであり、エネルギーは９．６×１０７７×１０ｙＪである。
この超巨大エネルギーを超極小範囲に集めている力は３．６×１０５０×１０ｙＮである。
１　エネルギーと引力は共在する。
１　光子は膨張したり収縮したりする。
１　光子のエネルギーは回転する軌道により変わる。
１　膨張するとエネルギーは弱くなる。
１　回転する軌道が大きいとエネルギーは小さい。
１　回転する軌道が小さいとエネルギーは大きい。
１　光子は自分に合ったエネルギーの軌道を回転している。
１　光子を「通過検出型の検出器」で発射すると光子は円を描く。
この現象は光子は自分の持っているエネルギーの軌道に落ち着いたのであり、光子の持つエネルギーを示す。
１　円は光子のエネルギーの軌道である。
これが万物は光子の回転でできている証拠である。
１　光子は階段的エネルギーを持つ。
１　不連続なエネルギーを持つ。
１　光子の持つエネルギーは６．６７×１０−３４Ｊの整数倍のエネルギーである。
１　６．６７×１０−３４Ｊの光子はマップの１０−７ｍの軌道を回転する光子のエネルギーである。
６．６７×１０−３４＝６．６７×１０−４１−ｘ　Ｘ＝−７
１　１０−７ｍの軌道を回転する？光子のエネルギーは６．６７×１０−３４Ｊで引力は２．４７×１０−６１Ｎである。
【０００６】
【発明の効果】
インフレーションは２段階で行われ、第一段階のインフレーションで膨張した分だけエネルギーは弱まった。
これは光子が自分の軌道を大きくしたからです。光子は個個に異なるエネルギーを持ち、異なる軌道を回転している。そのことを現したのが「通過検出型の検出器」で得られる光子の円です。通過検出型の検出器で得られる光子の円は光子の軌道を現しています。これが光子は軌道で回転している証拠です。これが万物は光子の回転でできている証拠です。
エネルギーは伸びる。ビッグバンの以前の球は縮んだ状態です。インフレーションで伸びました。光子の回転が大きくなりました。そのことによって光子のエネルギーは弱くなりました。インフレーションの倍数だけ弱くなりました。逆に、ビッグバンの前の光子のエネルギーはインフレーションの分大きかったのです。引力も大きかったのです。
【図面の簡単な説明】
【図１】陽子星のラブが１２×１０９０個詰まっている陽子星。
【図２】中性子星のラブが１２×１０９０個詰まっている中間子星。
【図３】電子星のラブが１２×１０９０個詰まっている電子星。
【図４】陽子星を中心に中間子星と電子星が回転している。
【図５】第一段階のインフレーションと第二段階のインフレーションを示す図。
【図６】陽子星のラブの大きさとエネルギーと引力を示す図。
【図７】中間子星のラブの大きさとエネルギーと引力を示す図。
【図８】電子星のラブの大きさとエネルギーと引力を示す図。
【図９】陽子星の大きさとエネルギーと引力を示す図。
【図１０】中間子星の大きさとエネルギーと引力を示す図。
【図１１】電子星の大きさとエネルギーと引力を示す図。
【図１２】「通過検出型の検出器」で得られる光子の円は光子の軌道のエネルギーを示す。それは光子が回転している証拠です。
【符号の説明】
１　陽子星　　　２　中間子星　　　３　電子星　　　４　陽子星のラブ
５　中間子星のラブ
６　電子星のラブ　　　７　第一段階のインフレーション
８　第二段階のインフレーション
９　陽子のラブ　　　１０　陽子のラブの周囲の光子
１１　「通過検出型の検出器」の光子の円＝光子の軌道のエネルギー
【図１】
2004048976.tif 000006
【図２】
2004048976.tif 000007
【図３】
2004048976.tif 000008
【図４】
2004048976.tif 000009
【図５】
2004048976.tif 000010
【図６】
2004048976.tif 000011
【図７】
2004048976.tif 000012
【図８】
2004048976.tif 000013
【図９】
2004048976.tif 000014
【図１０】
2004048976.tif 000015
【図１１】
2004048976.tif 000016
【図１２】
2004048976.tif 000017